(57)【要約】【課題】自動車側方の死角を減らし、デザインの自由度を高め、また、ミラーベースを簡単に取り付けられる構造のアウターミラーを提案することにある。【解決手段】自動車のサイドウインドウ４０の側面からその側方に向かって張り出すミラーベース１０と、このミラーベース１０の下側に吊設されるミラーハウジング２０とから構成されるアウターミラーであり、ミラーベース１０は、サイドウインドウ４０の外側面に固着された取付ブラケット３０に嵌合させることで取り付け作業が完了する構造とする。【選択図】    図２
2004196213.tif 000002
【特許請求の範囲】
【請求項１】
自動車のサイドウインドウの外側面に取り付けられ、車体の側方に向かって張り出すミラーベースと、
前記ミラーベースに吊設されるミラーハウジングとを備えることを特徴とするアウターミラー。
【請求項２】
前記ミラーベースが、前記サイドウインドウの外側面に固着された取付ブラケットに嵌合されていることを特徴とする請求項１に記載のアウターミラー。
【請求項３】
前記サイドウインドウと前記取付ブラケットに、ハーネス挿通孔を貫通させ、車室内から車室外の前記ミラーベースへの配線を可能としたことを特徴とする請求項２に記載のアウターミラー。
【請求項４】
前記取付ブラケットと前記ミラーベースにはそれぞれ電極端子が配設されており、
前記取付ブラケットの前記電極端子は、前記サイドウインドウを貫通するハーネス挿通孔を通って車室内と電気的に接続し、前記ミラーベースの前記電極端子は、前記ミラーベース内又は前記ミラーハウジング内に設けられる各電気設備に接続しており、
前記取付ブラケットに前記ミラーベースを嵌合することにより双方の前記電極端子が互いに当接することを特徴とする請求項２に記載のアウターミラー。
【請求項５】
車室内におけるケーブルの配線を、前記サイドウインドウ内側面に沿わせることを特徴とする請求項３または請求項４に記載のアウターミラー。
【発明の詳細な説明】
【０００１】
【発明の属する技術分野】
本発明は、自動車のサイドドア付近に付設されるアウターミラーに関する。
【０００２】
【従来の技術】
従来のアウターミラーとしては、一般的に、図１０に示すように、サイドウインドウ１３０の前端下部の三角コーナー部から車体側方へ張り出したミラーベース１１０に、後方視認用のミラーを装着したミラーハウジング１２０が支持されたものが知られている。このミラーベース１１０は、車両内部のインナーベースと、車両外部のアウターベースに分割されており、サイドウインドウ１３０の前端下部に設けられたアウターミラー取付台（図示しない）を、前記インナーベース及びアウターベースにより車室内と車室外から挟み込むようにビスなどにより車体に固定する方法がとられている。
【０００３】
しかし、上述した従来のアウターミラーの固定方法では、サイドウインドウの前端下部の三角コーナー部を略三角形のミラーベースで塞いでしまう為、自動車側方の死角を大きくし、また、このミラーベースがデザイン的に重量感があるため自動車デザイン時の規制事項となり、さらに、このミラーベースをビスなどにて固定するため、取り付け作業に手間がかかるなどの問題があった。そのため、この三角コーナー部を塞がずにミラーベースを軽快かつ簡単に取り付けたものが望まれる。
【０００４】
ここで、特許文献１及び特許文献２には、車室内に設置するインナーミラー（ルームミラー）を接着剤などにより直接フロントガラスの内側面に設置する構造が記載されており、これを応用することで、サイドウインドウの三角コーナー部を塞がずに軽快かつ簡単にアウターミラー取り付ける方法が考えられる。
【０００５】
【特許文献１】
特開平７−２１５１３１号公報（第３頁−第４頁，第１図−第３図）
【特許文献２】
特開２０００−２１９０８３号公報（第２頁，第１図）
【０００６】
【発明が解決しようとする課題】
しかしながら、特許文献１及び特許文献２に記載の取付構造は、あくまでも車室内に設置されるインナーミラーに関するものであり、車室内から車室外にかけての配線が必要となる電動格納・調整型アウターミラーに関しては、単純に応用することはできないという問題がある。
【０００７】
本発明は、このような問題に鑑みてなされたものであって、自動車側方の死角を減らし、デザインの自由度を高め、また、ミラーベースを簡単に取り付けられる構造のアウターミラーを提案することにある。
【０００８】
【課題を解決するための手段】
このような課題を解決するために、請求項１の発明は、自動車のサイドウインドウの外側面に取り付けられ、車体の側方に向かって張り出すミラーベースと、前記ミラーベースに吊設されるミラーハウジングとを備えることを特徴とするアウターミラーである。
【０００９】
かかるアウターミラーは、車体の側方に向かって張り出すミラーベースを三角コーナー部ではなくサイドウインドウの外側面に取り付けたものであるので、これまで運転者の死角となっていた車体側方に関しても視界を広げることが可能となった。また、本発明によれば、アウターミラーがサイドウインドウから突き出た軽快なイメージであるので、車両本体のデザインにおいて、自由度を向上させることが可能となる。
【００１０】
請求項２の発明は、請求項１に記載のアウターミラーであって、前記ミラーベースが、前記サイドウインドウの外側面に固着された取付ブラケットに嵌合されていることを特徴とする。
【００１１】
かかるアウターミラーは、サイドウインドウに固着した取付ブラケットにミラーベースを嵌合する構造であることから、従来のビスによる固定に比べミラーベースの取り付け作業を容易に行うことが可能となる。
【００１２】
請求項３の発明は、請求項２に記載のアウターミラーであって、前記サイドウインドウと前記取付ブラケットに、ハーネス挿通孔を貫通させ、車室内から車室外の前記ミラーベースへの配線を可能としたことを特徴とする。
【００１３】
かかるアウターミラーは、車室内から車室外のミラーベースまで配線が可能な構造であることから、車室内の制御部から電源を供給するためのワイヤーハーネスをミラーベースの内部まで導入し、アウターミラーのミラーハウジングの格納と使用位置への復帰、鏡面の向きの調整等を運転席からの遠隔操作により行うことが可能となる。
【００１４】
請求項４の発明は、請求項２に記載のアウターミラーであって、前記取付ブラケットと前記ミラーベースにはそれぞれ電極端子が配設されており、前記取付ブラケットの前記電極端子は、前記サイドウインドウを貫通するハーネス挿通孔を通って車室内と電気的に接続し、前記ミラーベースの前記電極端子は、前記ミラーベース内又は前記ミラーハウジング内に設けられる各電気設備に接続しており、前記取付ブラケットに前記ミラーベースを嵌合することにより双方の前記電極端子が互いに当接することを特徴とする。
【００１５】
かかるアウターミラーは、電極端子を有する取付ブラケットに電極端子を有するミラーベースを嵌合することにより、双方の電極端子が互いに当接することから、アウターミラーの取り付け作業を行うと同時に車室内から車室外のミラーベースへの配線が完了し、ミラーベース内又はミラーハウジング内の各電気設備への電力の供給が可能となる構造である。この場合において、ミラーベース内又はミラーハウジング内の各電気設備とは、ミラーハウジングの格納と使用位置への復帰の際駆動するモータ、ミラーの微調整時に駆動するモータ、ウインカー、照明等アウターミラーに設置するあらゆる電気設備のことをいう。
【００１６】
請求項５の発明は、請求項３または請求項４に記載のアウターミラーであって、車室内におけるケーブルの配線を、前記サイドウインドウ内側面に沿わせることを特徴とする。
【００１７】
かかるアウターミラーの構造により、ケーブルをサイドウインドウ内側面に沿わせることで、車室内をすっきりさせ、不意に車室内においてケーブルに損傷を与えることを避けることができる。
【００１８】
【発明の実施の形態】
以下、添付図面を参照して、本発明の実施の形態を詳細に説明する。なお、説明において、同一要素には同一の符号を用い、重複する説明は省略する。また、本発明の実施の形態におけるサイドウインドウは、自動車の両側面に配置されるあらゆるガラス窓を意味しており、たとえば、サイドドアに設けられるドアウインドウのうちの車室内の操作により昇降するガラス窓や昇降するガラス窓とは別にサイドドア前端部に設けられるガラス窓を含み、また、サイドドア以外の車体側面に設けられるガラス窓なども含む。また、以下の説明において、「前後」、「左右」、「上下」は、アウターミラーを車体に取り付けた状態を基準とする。
【００１９】
（第一の実施の形態）
第一の実施形態に係るアウターミラーは、図１に示すように、自動車のサイドドア付近に付設されるアウターミラーであり、サイドウインドウ４０からその側方に向かって張り出すミラーベース１０と、このミラーベース１０の下側に吊設されるミラーハウジング２０とから構成されている。また、ミラーハウジング２０の後面開口部に後方視認用のミラー（図示しない）が配設されている。
【００２０】
また、本実施形態に係るアウターミラー１は電動格納式であり、ミラーハウジング２０は、ミラーベース１０の下面に固定されたシャフト（図示しない）に対して回動可能に取り付けられている。
【００２１】
図１のように、本実施の形態のアウターミラー１は、サイドウインドウ４０からその側方に向かって張り出すミラーベース１０にミラーハウジング２０が吊設された上吊り式となっており、しかも、ミラーハウジング２０はサイドウインドウ４０との間に間隙Ｓを形成してミラーベース１０に吊設され、サイドウインドウ４０とミラーハウジング２０との間が空いた構造となっているので、デザイン的に軽快であり、取り付け車種が限定されにくい。したがって、種々の車種に取り付けが可能である。
【００２２】
また、ミラーハウジング２０の車体側の側方は間隙Ｓによって広く空いた状態となっており、自動車走行時の走行風の流路となっているので、自動車走行時にアウターミラー１へ流れてくる走行風の一部を、この間隙Ｓを通じて車体後方へスムーズに通過させることができる。これにより、アウターミラー１による走行風の乱れが低減され、風切り音の発生による騒音が低減されることとなる。
【００２３】
さらに、ミラーベース１０が、サイドウインドウ４０からその側方に向かって張り出す形となっているため、従来のように、サイドウインドウ４０の前端下部の三角コーナー部が塞がれなくなり、運転席から車体側方を見ることができるようになる。したがって、車体側方の死角が減少されることとなり、車両側方の視認性を高めることができる。
【００２４】
以下、各部について説明する。サイドウインドウ４０には、図２に示すように、取付ブラケット３０の取り付け位置にハーネス挿通孔４１が貫通しており、アウターミラー１に必要なハーネスＨを車室内から挿通させる構造としている。
【００２５】
取付ブラケット３０は、アウターミラー１の自重、走行時の風圧等、取付ブラケットに加わる様々な応力に対して耐える強度を有する材料、形状とし、本実施形態ではステンレス製のものを使用する。図３に示すように、取付ブラケット３０は、サイドウインドウ４０の外側面に接着剤Ｂにより、通常の作用応力により剥がれるようなことがないように強力に接着する。
【００２６】
また、図４に示すように、取付ブラケット３０は、水平断面がコの字の凹部３１と、凹部３１の前後に延出する、長方形の切り欠き３２ａのある歯部３２とからなり、側方から見ると略Ｈ型の形状を示している。凹部３１の中央にはハーネス挿通孔３１ａが形成されている。
【００２７】
ミラーベース１０の外形は略流線形に形成されており、その内部には、例えば、ＧＰＳ（Global Positioning System）等に使用されるアンテナやワイヤーハーネスＨ等を組み込むことが可能な広い空間が形成されるようになっている。
【００２８】
このようなミラーベース１０は、図４に示すようにベース端部１１に形成されたブラケット受け１１ｂと凸部１１ｃをサイドウインドウ４０に固着された取付ブラケット３０に嵌合することにより、サイドウインドウ４０から側方に張り出した状態に取り付けられる。ブラケット受け１１ｂは、弾性体で形成されており、図４に示すようにベース端部１１から、それぞれの水平断面がＬ字型の一対の部材が、互いに向き合うように、取付ブラケット３０の幅だけ前後方向に間を開けて突出している。これらの二つのブラケット受け１１ｂ，１１ｂの根元には、取付ブラケット３０の歯部３２に形成される切り欠き３２ａと同じ形状に形成されている凸部１１ｃ，１１ｃがそれぞれ形成されている。また、ベース端部１１に形成された二つの凸部１１ｃ，１１ｃの中間には、ハーネス挿通孔１１ａが形成されている。
【００２９】
ミラーベース１０の取り付け作業は図５（ａ）〜（ｃ）に示す通りである。図５（ａ）は、ミラーベース１０を取付ブラケット３０上方に配置した状態を示しており、また、図５（ｂ）は、ミラーベース１０を取付ブラケット３０に嵌合する途中経過を示しており、ベース端部１１の凸部１１ｃが取付ブラケット３０の上側歯部３２ｂと略同じ高さになる位置までミラーベース１０を降ろした状態を示している。さらに、図５（ｃ）は、取付ブラケット３０の切り欠き３２ａまでベース端部１１の凸部１１ｃが滑り降り、取付ブラケット３０とミラーベース１０が嵌合した状態を示している。取付ブラケット３０の前後に形成された歯部３２の上側歯部３２ｂは丸みを帯びて形成されており、ミラーベース１０を上方から滑り込ませる際、上側歯部３２ｂと凸部１１ｃの下端とが掛かることなくスムーズに嵌合動作ができる形状としている。また、ブラケット受け１１ｂは弾性体であるため、図５（ｂ）に示すように、取付ブラケット３０の上側歯部３２ｂまで凸部１１ｃが滑り降りた時点で、ブラケット受け１１ｂが一旦車室内方向に広がり、その後、図５（ｃ）に示すように、取付ブラケット３０の切り欠き３２ａまでベース端部１１の凸部１１ｃが滑り降りた時点で、切り欠き３２ａと凸部１１ｃが嵌合し、ブラケット受け１１ｂが元の状態に戻り、ミラーベース１０の嵌合が完了する。
【００３０】
このように、取付ブラケット３０を用いたミラーベース１０の嵌合方法により、アウターミラー１取り付け時の作業性が向上するという利点が得られる。また、上方から滑り込ませる嵌合方法により、走行中にアウターミラー１が受ける風圧などの応力により、アウターミラー１が取付ブラケット３０からずれ落ちることが無いようにしている。なお、ミラーベース１０は上述した嵌合による固定に限らず、ビス等を用いた螺合手段によっても固定可能である。
【００３１】
図３に示すように、本実施形態におけるサイドウインドウ４０、取付ブラケット３０、ミラーベース１０には、それぞれハーネスＨを車室内から車室外のミラーベース１０まで挿通させるためにハーネス挿通孔４１，３１ａ，１１ａが設けられている。これらのハーネス挿通孔４１，３１ａ，１１ａにハーネスＨを挿通させることにより、アウターミラーに設置する各電気設備への電力の供給が可能となる。ハーネス挿通孔４１，３１ａ，１１ａの直径は、ハーネスＨの挿通が可能でアウターミラー１の取付構造上支障のない範囲であれば特に限定されない。なお、ハーネスＨはパッキンＰを介してハーネス挿通孔４１，３１ａ，１１ａを挿通しているため、水や塵埃等が内部に侵入しにくい構造となっている。
【００３２】
（第二の実施の形態）
本発明の第二の実施の形態にかかるアウターミラーは、図８（ｂ）に示す電極面Ｄ１１と絶縁体Ｄ１２から板状に形成される電極端子（以下「電極板」という）Ｄ１を有する取付ブラケット３０に、図８（ｃ）に示すバネ状電極２１と電極コネクタ基部Ｄ２２から形成される電極端子（以下「電極コネクタ」という）Ｄ２を有するミラーベース１０を嵌合させることにより、図８（ａ）に示すように取付ブラケット３０の電極板Ｄ１とミラーベース１０の電極コネクタＤ２とが当接する構造となっている。また前述の電極板Ｄ１は、その内側面においてサイドウインドウ４０のハーネス挿通孔４１を介して図示しない制御部に接続された電極ケーブルＤ３と接続されている（図７，図８（ａ）参照）。また、図７に示すように、電極コネクタＤ２は、ミラーベース１０のベース端部１１に形成される両ブラケット受け１１ｂ，１１ｂの間に配設されており、電極コネクタＤ２にはミラーベース１０内に組み込まれるハーネスＨが接続されている（図８（ａ）参照）。
【００３３】
電極板Ｄ１と電極コネクタＤ２は、取付ブラケット３０とミラーベース１０の取り付け作業に伴い、図９（ａ）〜（ｃ）に示す順序にて当接する。図９（ａ）は、取付ブラケット３０上方にミラーベース１０をセットした状況を示している。取付ブラケット３０に、ミラーベース１０を上方から滑り込ませる際、バネ状電極Ｄ２１が取付ブラケット３０の凹部３１の位置に到達すると、図９（ｂ）に示すように山形に盛り上がっていたバネ状電極Ｄ２１は、一旦、取付ブラケット３０の凹部３１の面に合せて平らな形状を示す。その後、取付ブラケット３０とミラーベース１０が嵌合すると同時に、電極面Ｄ１１の位置までバネ状電極Ｄ２１が滑り降り、図９（ｃ）に示すように、その復元力によりバネ状電極Ｄ２１が電極面Ｄ１１に当接する。以上のように電極面Ｄ１１とバネ状電極Ｄ２１が当接することで、車室内の制御部から車室外のミラーベース１０までの配線が完了する。
【００３４】
図６に示すように、車室内における電極ケーブルＤ３の配線は、サイドウインドウ４０内側面に貼り付ける形（プリント配線）で行う。この場合において、電極ケーブルＤ３は、フラットケーブルや焼付け電線の使用も可能である。
【００３５】
なお、ミラーベース１０、ミラーハウジング２０、取付ブラケット３０等の構成は、前記した第一の実施形態に係るアウターミラー１と同様であるので詳細な説明は省略する。
【００３６】
第二の実施形態にかかるアウターミラー１によると、電極板Ｄ１を配設した取付ブラケット３０と電極コネクタＤ２を配設したミラーベース１０を使用することにより、電動格納式アウターミラー等の取り付け時において、アウターミラーの取り付け作業と別に必要となる電力供給用のハーネス等の接続作業をすることなく、車室内から車室外のミラーベースへの配線が完了することを可能とした。これにより、アウターミラー取り付け時の作業性が向上する。また、電極ケーブルＤ３をプリント配線にてサイドウインドウ４０内側面に配置することで、車室内をすっきりさせ、不意に車室内においてハーネスに損傷を与えることを避けることができる。
【００３７】
以上、本発明に係るアウターミラー設置の実施形態について説明したが、本発明はこれに限定されるものではなく、発明の趣旨に応じた様々な変更実施が可能である。例えば、前記した各実施形態では、上吊り式のアウターミラーを採用したが、車両のデザインに応じて下支持式のアウターミラーを採用しても良い。
【００３８】
また、前記した各実施形態に係るアウターミラーは、電動格納式であったが、これに限定されることはなく、手動格納式や固定式のものであっても差し支えない。ここで、手動格納式や固定式のものを使用する場合は、もちろんハーネスを挿通させないこともできる。
【００３９】
また、前記した各実施形態では、ミラーベースを取り付ける際、サイドウインドウに固着された取付ブラケットへ上方から滑り込ませる嵌合方法としたが、これに限定されることはなく、取付ブラケットの向きにより前後方向に滑り込ませる嵌合方法や、取付ブラケットを介さずビスなどによる締着固定や吸盤などによる吸着固定などの固定方法や、取付ブラケットをサイドウインドウに固着するのではなく、ピラーやドアなどに固着し、ミラーベースを嵌合する方法であっても差し支えない。
【００４０】
【発明の効果】
本発明の請求項１に係る発明によれば、車体の側方に向かって張り出すミラーベースを三角コーナー部ではなくサイドウインドウの外側面に取り付けたものであるので、これまで運転者の死角となっていた車体側方に関しても視界を広げることが可能となった。また、本発明によれば、アウターミラーがサイドウインドウから突き出た軽快なイメージであるので、車両本体のデザインにおいて、自由度を向上させることが可能となる。
【００４１】
また、ミラーハウジングの車体側の側方は広く空いた状態となっており、自動車走行時の走行風の流路となっているので、自動車走行時にアウターミラーへ流れてくる走行風の一部を、この間隙を通じて車体後方へスムーズに通過させることができる。これにより、アウターミラーによる走行風の乱れが低減され、風切り音の発生による騒音が低減されることとなる。
【００４２】
本発明の請求項２に係る発明によれば、サイドウインドウに固着した取付ブラケットにミラーベースを嵌合する構造であることから、従来のビスによる固定に比べミラーベース取り付け時の作業性が向上する。また、当該発明による取付ブラケットは、車両左右間、車種間において共用することが可能であることから、アウターミラーの車両左右間、車種間での共用を推し進めることができ、デザイン、生産、再利用などさまざまな面で向上が見込める。
【００４３】
本発明の請求項３に係る発明によれば、車室内から車室外のミラーベースまで配線が可能な構造であることから、車室内の制御部から電源を供給するためのワイヤーハーネスをミラーベースの内部まで導入し、サイドウインドウから側方に張り出したアウターミラーのミラーハウジングの格納と使用位置への復帰、鏡面の向きの調整等を運転席からの遠隔操作により行うことを可能とした。
【００４４】
本発明の請求項４に係る発明によれば、取付ブラケットにミラーベースを嵌合すると同時に、取付ブラケットとミラーベースのそれぞれに配設した電極端子が互いに当接し、車室内から車室外のミラーベースへの配線が完了することを可能とした。
【００４５】
本発明の請求項５に係る発明によれば、ハーネスをガラス窓内側面に沿わせることで、車室内をすっきりさせ、不意に車室内においてハーネスに損傷を与えることを避けることができる。
【図面の簡単な説明】
【図１】第一の実施の形態に係るアウターミラーを示す斜視図である。
【図２】第一の実施の形態に係るアウターミラーを示す分解斜視図である。
【図３】図１のＸ−Ｘ断面図である。
【図４】第一の実施の形態に係るアウターミラーの取付ブラケットとミラーベース嵌合部の拡大図である。
【図５】第一の実施の形態に係るアウターミラーの取り付け状況を示す連続図である。
【図６】第二の実施の形態に係るアウターミラーを示す分解斜視図である。
【図７】第二の実施の形態に係るアウターミラーの取付ブラケットとミラーベース嵌合部の拡大図である。
【図８】第二の実施の形態に係るアウターミラーの図で、（ａ）は水平断面図、（ｂ）は取付ブラケットの詳細図、（ｃ）は電極コネクタの詳細図である。
【図９】第二の実施の形態に係るアウターミラーの電極端子の接続状況を示す連続図である。
【図１０】従来のアウターミラーを示す斜視図である。
【符号の説明】
１              アウターミラー
１０            ミラーベース
１１            ベース端部
１１ａ          ハーネス挿通孔
１１ｂ          ブラケット受け
２０            ミラーハウジング
３０            取付ブラケット
３１ａ          ハーネス挿通孔
３２            歯部
４０            サイドウインドウ
４１            ハーネス挿通孔
Ｄ１            電極板
Ｄ２            電極コネクタ
Ｄ３            電極ケーブル
Ｈ              ハーネス
Ｓ              間隙
【図１】
2004196213.tif 000003
【図２】
2004196213.tif 000004
【図３】
2004196213.tif 000005
【図４】
2004196213.tif 000006
【図５】
2004196213.tif 000007
【図６】
2004196213.tif 000008
【図７】
2004196213.tif 000009
【図８】
2004196213.tif 000010
【図９】
2004196213.tif 000011
【図１０】
2004196213.tif 000012